(57)【要約】  この酸素の検出方法は、グリッド（１０２）と、イオンコレクタ（１０３）と、金属の表面に酸化物が形成されているフィラメント（１０１）とを準備し、エミッション電流が一定になるように前記フィラメント（１０１）に流れるフィラメント電流を制御し、前記フィラメント電流の通電による発熱によって熱電子を放出させ、気体をイオン化してイオンを発生させ、前記イオンを前記イオンコレクタ（１０３）で捕捉し、前記フィラメント電流値を測定することにより真空処理室内に存在する酸素を検出する。
2010106792.tif 000002
【特許請求の範囲】
【請求項１】
酸素の検出方法であって、
グリッドと、イオンコレクタと、金属の表面に酸化物が形成されているフィラメントとを準備し、
エミッション電流が一定になるように前記フィラメントに流れるフィラメント電流を制御し、
前記フィラメント電流の通電による発熱によって熱電子を放出させ、気体をイオン化してイオンを発生させ、
前記イオンを前記イオンコレクタで捕捉し、
前記フィラメント電流値を測定することにより真空処理室内に存在する酸素を検出する
ことを特徴とする酸素の検出方法。
【請求項２】
請求項１に記載の酸素の検出方法であって、
前記フィラメント及び前記グリッドを含む電離真空計を用いることを特徴とする酸素の検出方法。
【請求項３】
請求項１に記載の酸素の検出方法であって、
前記フィラメント及び前記グリッドを含む質量分析計を用いることを特徴とする酸素の検出方法。
【請求項４】
請求項１に記載の酸素の検出方法であって、
前記金属がイリジウムであり、酸化物が酸化イットリウムであることを特徴とする酸素の検出方法。
【請求項５】
空気リークの判別方法であって、
請求項１から請求項４のいずれか一項に記載の酸素の検出方法を用い、空気リークの有無を検知することを特徴とする空気リークの判別方法。
【請求項６】
ガス成分検出装置であって、
請求項１から請求項４のいずれか一項に記載の酸素の検出方法を行うことを特徴とするガス成分検出装置。
【請求項７】
請求項６に記載のガス成分検出装置であって、
フィラメント電流値，圧力値，及び酸素の検出信号を外部に出力する出力部を含むことを特徴とするガス成分検出装置。
【請求項８】
ガス成分検出装置であって、
請求項５に記載の空気リークの判別方法を行うことを特徴とするガス成分検出装置。
【請求項９】
請求項８に記載のガス成分検出装置であって、
フィラメント電流値，圧力値，及び酸素の検出信号を外部に出力する出力部を含むことを特徴とするガス成分検出装置。
【請求項１０】
真空処理装置であって、
請求項６に記載のガス成分検出装置を含むことを特徴とする真空処理装置。
【請求項１１】
真空処理装置であって、
請求項８に記載のガス成分検出装置を含むことを特徴とする真空処理装置。
【発明の詳細な説明】
【技術分野】
【０００１】
本発明は、酸素の検出方法，空気リークの判別方法，ガス成分検出装置，及び真空処理装置に関する。特に、本発明は、電離真空計又は質量分析計を用い、フィラメント電流を制御及び測定することにより効率的に真空処理室内の酸素を検出する方法，この検出方法を利用した空気リークの判別方法，このような検出方法又は判別方法を行うガス成分検出装置，及びこの成分検出装置を含む真空処理装置に関する。
本願は、２００９年３月１８日に出願された特願２００９−０６６８８７号に基づき優先権を主張し、その内容をここに援用する。
【背景技術】
【０００２】
従来、熱陰極型電離真空計は、半導体，フラットパネルディスプレイ，又は太陽電池等の製造装置に利用される真空処理装置において、真空処理室内の圧力（真空度）の測定に広く用いられている。
図６は、従来の熱陰極型電離真空計の構成を示す模式図である。
従来の熱陰極型電離真空計２００においては、フィラメント２０１の一端が可変電源２０４のプラス端子に接続されている。また、フィラメント２０１の他端は、可変電源２０４のマイナス端子に接続され、かつ、エミッション電流計２０８を介して接地されている。フィラメント２０１は、グリッド２０２及びイオンコレクタ２０３と共に真空雰囲気に配置されている。【０００３】
グリッド２０２は、グリッドバイアス電源２０５のプラス端子に接続されている。熱陰極型電離真空計２００においては、可変電源２０４の起動により、フィラメント２０１にフィラメント電流Ｉｆが流れ、フィラメント２０１は発熱し、熱電子２１０が放出される。フィラメント２０１から放出された熱電子２１０は、グリッド２０２に到達し、エミッション電流Ｉｅが生じる。また、熱電子２１０がグリッド２０２に到達する前に、熱電子２１０が気体分子に衝突することによって気体分子が電離し、正イオン２１１が生成される。
この時に生成された正イオン２１１は、イオンコレクタ２０３に集められ、イオン電流Ｉｉが生じる。エミッション電流Ｉｅ及びイオン電流Ｉｉを測定することにより、気体の密度、即ち、真空度の測定が行われている。【０００４】
即ち、圧力Ｐ，イオン電流Ｉｉ，エミッション電流Ｉｅに対し、下記の（１）式が成り立つことが知られている。ここで、Ｓは感度係数を表す。【０００５】
【数１】
2010106792.tif 000003
【０００６】
これにより、エミッション電流Ｉｅが一定になるように可変電源２０４の出力値を変化させ、フィラメント電流Ｉｆを制御することによって、圧力Ｐを算出することができる。【０００７】
また、従来から、フィラメント電流値を測定し、この値を利用してフィラメントの寿命を予測する方法（例えば、特許文献１参照）が知られている。また、フィラメントの断線を保護する方法（例えば、特許文献２参照）が知られている。また、フィラメントに印加される電流の測定値を、感度、及び表示圧力の正しい値を算出するために使用する方法（例えば、特許文献３参照）等が知られている。【０００８】
ところで、真空装置においてリークの有無を判別するためには、電離真空計を利用してビルドアップ法によるリーク量を測定する方法、質量分析計を利用してガス分圧を監視する方法、又はヘリウムガスを真空装置の表面に吹きかけることによってリーク部分を通過したヘリウムガスを検出するリウムリークテストを行う方法のいずれかを行う必要がある（例えば、特許文献４参照）。【０００９】
しかしながら、ビルドアップ法は装置の状態に依存するため、正確な判定が困難である。また、質量分析計を使用する方法の場合、質量分析計が高価であり、しかも可搬性に劣る。また、真空装置の圧力が０．１Ｐａ以上になると、気体の平均自由行程が短くなる。このため、質量分析計を使用する方法の場合、質量電荷比に対する信号が著しく減少しはじめ、真空装置の圧力が１Ｐａ以上の場合にはほとんど信号が検出されないという問題もある（例えば、特許文献５参照）。
一方、幅広い圧力領域において測定が可能な全圧計を有する質量分析計も提案されている（例えば、特許文献６参照）。
現在、稼働している多くの真空処理装置は、上述した電離真空計又は質量分析計を搭載している。このため、既存の電離真空計又は質量分析計を必要に応じて用いて、酸素の検出及び空気リークの判別を行うことが可能になれば、利便性が大幅に向上する。
【先行技術文献】
【特許文献】
【００１０】
【特許文献１】特開平７−１５１８１６号公報
【特許文献２】特開昭６４−１０１４３号公報
【特許文献３】特開平５−２０３５２４号公報
【特許文献４】特開２００６−３２９６６２号公報
【特許文献５】特開２００８−２０９１８１号公報
【特許文献６】特開２００７−３３５１８８号公報
【発明の概要】
【発明が解決しようとする課題】
【００１１】
本発明は、上記事情に鑑みてなされたものであり、多くの真空処理装置において使用されている電離真空計又は質量分析計を用いて真空処理室内の酸素を検出することにより、検出部を新たに増設することが不要であり、コストを削減することができ、及び設置スペースを削減することができる真空処理室内における酸素の検出方法を提供することを目的とする。
【課題を解決するための手段】
【００１２】
上記課題を解決するために、本発明の第１態様の酸素の検出方法は、グリッドと、イオンコレクタと、金属の表面に酸化物が形成されているフィラメントとを準備し、エミッション電流が一定になるように前記フィラメントに流れるフィラメント電流を制御し、前記フィラメント電流の通電による発熱によって熱電子を放出させ、気体をイオン化してイオンを発生させ、前記イオンを前記イオンコレクタで捕捉し、前記フィラメント電流値を測定することにより真空処理室内に存在する酸素を検出する。
本発明の第１態様の酸素の検出方法は、前記フィラメント及び前記グリッドを含む電離真空計を用いることが好ましい。
本発明の第１態様の酸素の検出方法は、前記フィラメント及び前記グリッドを含む質量分析計を用いることが好ましい。
本発明の第１態様の酸素の検出方法においては、前記金属がイリジウムであり、酸化物が酸化イットリウムであることが好ましい。
本発明の第２態様の空気リークの判別方法は、第１態様の酸素の検出方法を用い、空気リークの有無を検知する。
本発明の第３態様のガス成分検出装置は、第１態様の酸素の検出方法を行う。
本発明の第３態様のガス成分検出装置は、フィラメント電流値，圧力値，及び酸素の検出信号を外部に出力する出力部を含むことが好ましい。
本発明の第４態様のガス成分検出装置は、第２態様の空気リークの判別方法を行う。
本発明の第４態様のガス成分検出装置は、フィラメント電流値，圧力値，及び酸素の検出信号を外部に出力する出力部を含むことが好ましい。
本発明の第５態様の真空処理装置は、第３態様のガス成分検出装置を含む。
本発明の第６態様の真空処理装置は、第４態様のガス成分検出装置を含む。
【発明の効果】
【００１３】
本発明の酸素の検出方法によれば、グリッドと、イオンコレクタと、金属（母材）の表面に酸化物が配置されたフィラメントとが用いられ、エミッション電流が一定になるようにフィラメントに流れるフィラメント電流が制御され、かつ、フィラメント電流が測定されている。これによって、真空処理室内の酸素を検出することができ、かつ、空気リークの有無を検知することもできる。従って、多くの真空処理装置において使用されている熱陰極型電離真空計又は質量分析計を利用して、真空処理室内の酸素の検出及び空気リークの有無を判別することができる。
これにより、検出部を新たに増設することが不要であり、コストを削減することができ、及び設置スペースを削減することができる。
特に、質量分析計を用いた場合、質量電荷比に対する信号が著しく減少する圧力領域においても、真空処理室内の酸素の検出及び空気リークの有無を判別することができる。これにより、質量分析計の利便性が大幅に向上する。
従って、電離真空計又は質量分析計のいずれを用いる場合であっても、真空処理室内の酸素の検出及び空気リークの有無を判別することができるため、必要に応じて使い分けることにより、さらなる利便性を得ることができる。
【図面の簡単な説明】
【００１４】
【図１】本発明に係るガス成分検出装置の構成を示す模式図である。
【図２】従来のフィラメントを用いる場合において、各種ガスが導入された時の圧力とフィラメント電流値との関係を示す図である。
【図３】本発明に係るフィラメントを用いる場合において、各種ガスが導入された時の圧力とフィラメント電流値との関係を示す図である。
【図４】真空処理室内の圧力，フィラメント電流，及びフィラメント電流の微分値の経時変化を示す図である。
【図５】真空処理室内を減圧する場合において、圧力と時間との関係を示す図である。
【図６】従来の熱陰極電離真空計の例を示す模式図である。
【発明を実施するための形態】
【００１５】
以下、本発明に係る酸素の検出方法及び空気リークの判別方法の実施形態を説明する。
また、以下の説明に用いる各図面では、各構成要素を図面上で認識し得る程度の大きさとするため、各構成要素の寸法及び比率を実際のものとは適宜に異ならせてある。
【００１６】
図１は、本発明に係る酸素の検出方法及び空気リークの判別方法を用いたガス成分検出装置１００（電離真空計）の基本構成を示す模式図である。
本発明に係るガス成分検出装置１００は、フィラメント１０１，グリッド１０２，イオンコレクタ１０３，可変電源１０４，グリッドバイアス電源１０５，フィラメント電流計１０７，エミッション電流計１０８，及びイオン電流計１０９を含む。フィラメント１０１，グリッド１０２，及びイオンコレクタ１０３は、真空処理装置の真空処理室内の雰囲気に配置されている。
このガス成分検出装置１００においては、フィラメント１０１の一端はフィラメント電流計１０７を介して可変電源１０４のプラス端子に接続されている。また、フィラメント電流計１０７及びイオン電流計１０９は、測定装置５１又は制御装置５２に信号を出力する出力部５０が電気的に接続されている。これによって、フィラメント電流計１０７及びイオン電流計１０９において測定された値は、出力部５０を通じて、測定装置５１又は制御装置５２に出力される。なお、測定装置５１又は制御装置５２は、真空処理装置の一部を構成している。測定装置５１又は制御装置５２は、フィラメント電流計１０７及びイオン電流計１０９において測定された値を記憶する記憶部を有する。記憶部は、以下に述べるように、圧力とフィラメント電流値とを記憶する。
このような構成によれば、各種ガスが真空処理室内に導入された場合の真空処理室内の圧力とフィラメント電流値とを記録及び保存することができる。
また、図１においては、電離真空計を備えたガス成分検出装置１００が示されているが、電離真空計に代えて質量分析計を用いる場合であっても同様の構成が採用される。
【００１７】
＜実験例１＞
本実験例においては、真空処理室内において高真空雰囲気が得られた状態で、ガスを真空処理室内に導入し、測定された圧力Ｐとフィラメント電流Ｉｆとの関係を調べた。ガスとしては、通常のベント操作に用いられる窒素，窒素と区別して検出される空気，及び酸素の各々を選択した。
以下に説明する図２及び図３においては、横軸が圧力Ｐを示し、縦軸がフィラメント電流Ｉｆを示す。
【００１８】
図２は、フィラメント１０１の材料として従来用いられてきたタングステン（Ｗ）が使用されているガス成分検出装置１００を用いて、窒素，空気，及び酸素が導入されている場合の圧力Ｐとフィラメント電流Ｉｆとを比較した結果を示している。
図２に示すように、圧力Ｐとフィラメント電流Ｉｆの関係において、窒素，空気，及び酸素の差異は見出せない。
従って、真空処理室内に導入されたガスの種類を判別することはできない。
【００１９】
これに対して、図３は、金属母材の表面に酸化物がコーティングされている構造を有するフィラメント１０１が使用されているガス成分検出装置１００を用いて、窒素，空気，及び酸素が導入されている場合の圧力Ｐとフィラメント電流Ｉｆとを比較した結果を示している。
具体的には、イリジウム（Ｉｒ）母材の表面に酸化イットリウム（Ｙ２Ｏ３）がコーティングされたフィラメント１０１が使用され、図２と同様の実験を行って得られた結果を示している。
【００２０】
図３に示す結果から、以下の点が明らかとなった。
（結果１）窒素が導入された場合に測定されたフィラメント電流Ｉｆよりも、空気が導入された場合に測定されたフィラメント電流Ｉｆが大きい。
（結果２）空気が導入された場合に測定されたフィラメント電流Ｉｆよりも、酸素が導入された場合に測定されたフィラメント電流Ｉｆが更に大きい。
（結果３）結果２は、圧力（Ｐａ）が５×１０−４以上の圧力領域の場合に得られる。
（結果４）圧力（Ｐａ）が５×１０−４以上の圧力領域の場合に、検出されたガスが、窒素，空気，及び酸素のうちどのガスなのかを判別することができる。また、圧力が高いほど、窒素と空気とのフィラメント電流Ｉｆの差分及び空気と酸素とのフィラメント電流Ｉｆの差分が大きくなる傾向があるので、ガス種を判別する精度が向上する。
従って、図３に示す構成、即ち、金属母材の表面に酸化物がコーティングされている構造を有するフィラメントを用いてガス種を検出すれば、真空処理室内に存在するガスの種類を確実に判別することができる。
【００２１】
一般的に、金属表面から単位面積、単位時間当たりに飛び出す電子の数（熱電子放出電流密度）Ｊは、次の（２）式（リチャードソン・ダッシュマンの式）によって表される。
【００２２】
【数２】
2010106792.tif 000004
【００２３】
ここで、ｋはボルツマン定数、φは仕事関数、Ａはリチャードソン定数、Ａ＝４πｍｋ２ｅ／ｈ３、ｍとｅは電子の質量と電荷、ｈはプランク定数、Ｔは温度である。
上記（２）式から分かるように、仕事関数が大きければ飛び出す熱電子の数が少なくなり、温度が高くなれば飛び出す熱電子の数は多くなる。
また、フィラメント電流は、圧力が高くなるとフィラメントから奪われる熱量が大きくなるため増加する。従って、フィラメント電流量は、圧力に依存する（例えば、特許文献１参照）。
【００２４】
図３においては、空気が導入された場合に測定されたフィラメント電流Ｉｆよりも、酸素が導入された場合に測定されたフィラメント電流Ｉｆが大きいという結果が得られている（結果２）。また、同じ圧力下においても、空気のフィラメント電流Ｉｆよりも酸素のフィラメント電流Ｉｆが大きくなる。この理由は、フィラメント表面に酸素が吸着すると、フィラメント表面から電子が奪われ、酸素負イオンがフィラメント表面に吸着し、これによって仕事関数が増加し、結果的に規定のエミッション電流を得るためのフィラメント電流が大きくなる（温度が高くなる）と考えられる。
【００２５】
（第１検出方法）
図１のガス成分検出装置１００において、窒素が真空処理室内に導入された時の圧力及びフィラメント電流値を基準値として予め記録及び保存する。その後、種類が不明であるガスが真空処理室内に導入された時にフィラメント電流値を測定し、基準値と測定値とを比較することにより真空処理室内に酸素又は空気の存在を検出することができる。
つまり、基準となる窒素ガス（基準ガス、第１ガス）を真空処理室内に導入して上記の方法によりフィラメント電流（第１フィラメント電流）を測定する。その後、測定されたフィラメント電流値を基準値として記憶する。その後、種類が不明であるガス（測定対象ガス、第２ガス）を真空処理室内に導入してフィラメント電流値（第２フィラメント電流）を測定する。その後、基準値と種類が不明であるガスのフィラメント電流値とを比較する。これによって、真空処理室内において存在する種類が不明であるガスが酸素又は空気であることを検出することができる。
従って、本発明の方法は、真空処理室内の空気リークを判別する方法として有効に利用することができる。
【００２６】
（第２検出方法）
また、本発明の検出方法においては、真空処理室内に導入されたガスのフィラメント電流値が所定の圧力において規定値以上であると判断された場合に、真空処理室内において存在する種類が不明であるガスが酸素又は空気であると判別してもよい。
具体的に、酸素が真空処理室内に導入された時の圧力とフィラメント電流との関係を示す特性（第１特性）を記憶し、かつ、空気が真空処理室内に導入された時の圧力とフィラメント電流との関係を示す特性（第２特性）を記憶しておく。即ち、図３に示す圧力とフィラメント電流との関係を記憶しておく。これによって酸素の規定値（第１規定値）及び空気の規定値（第２規定値）が決定される。次に、種類が不明であるガスが真空処理室内に導入された時に、所定の圧力において、測定されたフィラメント電流値が第１規定値以上であると判断された場合に、真空処理室内において存在する種類が不明であるガスが酸素であると判別される。また、所定の圧力において、測定されたフィラメント電流値が第２規定値以上であると判断された場合に、真空処理室内において存在する種類が不明であるガスが空気であると判別される。
【００２７】
（第３検出方法）
また、本発明の方法においては、上述した基準値と種類が不明であるガスの測定値との差分に基づいて、真空処理室内に導入されたガスが酸素又は空気であることを判別してもよい。
具体的に、真空処理室内に窒素が導入された時に測定されたフィラメント電流値（第１フィラメント電流）を基準値として決定する。更に、上記の第１特性及び上記の第２特性に基づいて、第１規定値（酸素）及び第２規定値（空気）を決定する。次に、第１規定値から基準値を差し引いた第１差分値と、第２規定値から基準値を差し引いた第２差分値とを算出し、記憶される。次に、種類が不明であるガスが真空処理室内に導入された時に、測定されたフィラメント電流値が第１差分値以上であると判断された場合に、真空処理室内において存在する種類が不明であるガスが酸素であると判別される。また、種類が不明であるガスが真空処理室内に導入された時に、測定されたフィラメント電流値が第２差分値以上であると判断された場合に、真空処理室内において存在する種類が不明であるガスが空気であると判別される。
【００２８】
また、例えば、スパッタ装置においては、アルゴンの他に酸素が導入された雰囲気において成膜プロセスが行われる場合がある。この場合においても、予め成膜プロセスにおいて使用されるアルゴン及び酸素が真空処理室内に導入された時の圧力とフィラメント電流値とが基準値として記録され、保存される。
【００２９】
但し、イリジウム（Ｉｒ）母材の表面に酸化イットリウム（Ｙ２Ｏ３）等の酸化物がコーティングされたフィラメントを用いる場合、使用頻度の増加に応じてフィラメントが劣化し、フィラメント電流が徐々に増加することが知られている（例えば、特許文献１参照）。
この場合に、窒素が真空処理室内に導入された時に測定された圧力とフィラメント電流値とを測定し、基準値を再度決定する操作を行うことが望ましい。
また、窒素が真空処理室内に導入された時の圧力及びフィラメント電流値は、電離真空計内部の記憶装置に記録されてもよい。
また、酸素の検出信号又は空気リークの有無の判別信号は、出力部５０に出力されてもよい。
【００３０】
＜実験例２＞
図４は、上述した方法によって測定された圧力及びフィラメント電流値の経時変化を示す図である。
以下に説明する図４においては、横軸が時間を示し、縦軸がフィラメント電流Ｉｆとフィラメント電流の微分値とを示す。
図４に示すように、約２６秒が経過した時刻において、フィラメント電流値が上昇していることが分かる。これと同時に、フィラメント電流値の微分値においては、フィラメント電流値が変化していることが明らかである。
即ち、電離真空計によって測定された圧力が変化せず、フィラメント電流の微分値が規定値以上であることが検出された場合、真空処理室内に空気が存在すると判断することができる。即ち、突発的に空気リークが発生したと判別することができる。
この場合には、窒素が真空処理室内に導入された時の基準値を予め記録及び保存しておく必要はないため、フィラメントの劣化に起因してフィラメント電流が徐々に増加する悪影響は少なくなる。
【００３１】
＜実験例３＞
近年、大気圧から測定できるピラニ真空計及び電離真空計が同じ真空処理室に組み込まれた真空計が知られている。
この真空計は、大気圧から電離真空計によって測定可能な圧力までの範囲においては、ピラニ真空計を用いて真空処理室内の圧力を測定し、真空処理室内の圧力が電離真空計によって測定可能な圧力ｐ１（測定可能圧力ｐ１）に到達すると、自動的にフィラメントを点灯させる構造を有する。
【００３２】
図５は、大気圧から真空に向けて真空処理室内を減圧させた場合に、減圧に要する時間と圧力との関係を示す図である。
減圧開始時から測定可能圧力ｐ１に到達するまでに要する時間を基準として決定する。真空処理室において空気リークがない場合には、フィラメントを点灯させる時刻ｔ１（基準時間）と、時刻ｔ１におけるフィラメント電流ａ１（基準電流）と予め記録しておく。
真空処理室を用いたプロセス（例えば、成膜プロセス）の回数の増加に伴い、また、真空処理室のメンテナンス回数の増加に伴って、真空処理室においてリークが発生する可能性が高くなる。そのため、リークの有無を検出する必要が生じる。実験例３は、このような場合においてリークの有無を検出する例を示している。
図５に示すように、減圧開始時から測定可能圧力ｐ１に到達するまでに要する時間、即ち、減圧開始時からフィラメントが点灯するまでの時刻ｔ２が時刻ｔ１よりも大きい場合、真空処理室に空気リークが発生していることが疑われる。
このときのフィラメント電流値ａ２がフィラメント電流値ａ１よりも大きければ、空気リークが発生していると判断することができる。
しかし、電流値ａ２と電流値ａ１とが等しい場合においては、真空ポンプの異常等、他の原因に起因してリークが発生していると判断することができる。
このように、フィラメント電流の値をモニターしておくことにより、より正確に空気リークの有無が判別できる。
【００３３】
従って、本発明によれば、多くの真空処理装置において使用されている熱陰極型電離真空計を利用して、真空処理室内の酸素の検出及び空気リークの有無を判別することができる。
これにより、検出部を新たに増設することが不要であり、コストを削減することができ、及び設置スペースを削減することができる。
【００３４】
また、質量分析計を用いる場合であっても、全圧計が組み込まれている質量分析計を用いて（例えば、特許文献６参照）、フィラメント電流値を測定できる構成が採用される。この構成によれば、質量電荷比に対する信号が著しく減少する圧力領域においても、実験例１〜３に記載の方法と同様に酸素の検出及び空気リークの有無の判別が可能となる。これにより、質量分析計の利便性が大幅に向上する。
【００３５】
なお、上記実験例１〜３においては、フィラメント電流が直流である場合について説明しているが、熱電子を放出させるためにフィラメントに流れるフィラメント電流Ｉｆは必ずしも直流である必要はない。例えば、交流又はその導通角が制御された構造（回路）が用いられてもよい。
この構造において、フィラメント電流Ｉｆを制御してエミッション電流Ｉｅを所望の大きさに保つ場合には、フィラメント電流Ｉｆの実効値を測定し、その実効値を検出して酸素の検出及び空気リークの有無を判別してもよい。
【００３６】
また、上記実験例１〜３においては、検出されるガスが酸素及び空気である場合について説明しているが、本発明は、このような検出方法に限定されない。例えば、フィラメントから電子を奪い仕事関数を増加させ、酸素原子を含む水（Ｈ２Ｏ）等が検出されてもよい。
一方、水素等の還元性のガスがフィラメントに吸着した場合、ガスからフィラメント表面に電子が移動し、水素正イオンがフィラメント表面に吸着されるため、仕事関数が減少し、結果的にフィラメント電流が減少する。この現象を利用して、水素を検出することもできる。
【００３７】
このように、金属母材の表面に酸化物が配置されたフィラメントを含む電離真空計又は質量分析計を用い、かつ、フィラメント電流値を測定するような構成を用いるだけで、酸素の検出及び空気リークの有無を判別することができる。
従って、本発明によれば、電離真空計又は質量分析計のいずれを用いる場合であっても、真空処理装置が使用される状況に応じて電離真空計又は質量分析計を使い分けることにより、真空処理室内の酸素の検出及び空気リークの有無を判別することができ、利便性を向上させることができる。
【００３８】
本発明の技術範囲は、上述の実施形態に限定されることなく、本発明の趣旨を逸脱しない範囲において種々の変更を加えることが可能である。
また、本発明は、電離真空計又は質量分析計に限定されず、フィラメントとグリッドに対応する構成を有する装置（真空計）に適用することが可能である。
【産業上の利用可能性】
【００３９】
本発明は、金属の表面に酸化物が配置されたフィラメントを含む電離真空計又は質量分析計を用い、真空処理室内の酸素又は空気等のガス成分を検出する方法及び酸素又は空気等のガス成分を検出する装置に広く用いることができる。
【符号の説明】
【００４０】
１０１  フィラメント、１０２  グリッド、１０３  イオンコレクタ、１０４  可変電源、１０５  グリッドバイアス電源、１０７  フィラメント電流計、１０８  エミッション電流計、１０９  イオン電流計、１１０  熱電子、１１１  正イオン。
【図１】
2010106792.tif 000005
【図２】
2010106792.tif 000006
【図３】
2010106792.tif 000007
【図４】
2010106792.tif 000008
【図５】
2010106792.tif 000009
【図６】
2010106792.tif 000010
【国際調査報告】
2010106792.tif 000011
2010106792.tif 000012
2010106792.tif 000013
2010106792.tif 000014